(57)【要約】【課題】  ジャック部品等の電気部品をシャーシやケース等の筐体にビスで取り付け固定することなく、ジャック部品等の電気部品をシャーシやケース等の筐体に取り付け固定できて、ビスを必要とせずコストダウンを図れ、ビス止めの作業を必要せずライン作業の簡略化を図ることができる。【解決手段】  基板1に実装されたジャック部品２等の電気部品にビス穴２ａが形成され、シャーシ３又はケース等の筐体におけるジャック部品２等の電気部品のビス穴２ａに対応する位置にビス穴２ａに挿入されて係入係止される係止部４ａを有する突起４が設けられ、突起４の係止部４ａをジャック部品２等の電気部品のビス穴２ａに係入係止して、ジャック部品２等の電気部品をシャーシ３又はケース等の筐体に取り付け固定するように構成し、係止部４ａの先端部にビス穴２ａの内側縁に係止する係止爪４ｂが形成されている。【選択図】  図１
2008258529.tif 000002
【特許請求の範囲】
【請求項１】
電気機器の筐体内に配置された基板に実装された電気部品を前記筐体に取り付け固定するようにした電気機器内の電気部品の取付固定構造において、前記電気部品にはビス穴が形成され、前記筐体における前記電気部品のビス穴に対応する位置に前記ビス穴に挿入されて係入係止される係止部を有する突起が設けられており、前記突起の係止部を前記電気部品のビス穴に係入係止することにより、前記電気部品を前記筐体に取り付け固定するように構成したことを特徴とする電気機器内の電気部品の取付固定構造。
【請求項２】
前記電気部品がジャック部品である請求項１に記載の電気機器内の電気部品の取付固定構造。
【請求項３】
前記筐体がシャーシ又はケースである請求項１又は２に記載の電気機器内の電気部品の取付固定構造。
【請求項４】
前記突起の係止部の先端部に前記ビス穴の内側縁に係止する係止爪が一体に形成されている請求項１乃至３に記載の電気機器内の電気部品の取付固定構造。
【請求項５】
前記係止爪を先端部に有する突起の係止部が弾性を有する二股状に形成されている請求項４に記載の電気機器内の電気部品の取付固定構造。
【発明の詳細な説明】
【技術分野】
【０００１】
本発明は、電気機器の筐体内に配置された基板に実装された電気部品を前記筐体に取り付け固定するようにした電気機器内の電気部品の取付固定構造に関するものである。
【背景技術】
【０００２】
従来、図３（ａ）（ｂ）に示すように、電気機器のシャーシやケース等の筐体１０１内に配置された基板１０２に実装されたジャック部品１０３を筐体１０１に取り付け固定するには、ビス１０４を筐体１０１に形成された穴部１０１ａに挿入し、ジャック部品１０３に形成されたビス穴１０３ａにこのビス１０４の先端部を螺入することによってジャック部品１０３を筐体１０１に取り付け固定していた。ところが、ビス１０４を必要とするためにコスト高となり、ビス１０４をねじ込む作業を必要としていたためにライン作業において手間がかかるという問題があった。
【０００３】
第１の従来技術を図４（ａ）（ｂ）、図５に示す。この従来のジャックの取付機構は、図４（ａ）（ｂ）、図５に示すように、プラグが挿入されるプラグ挿入孔２０４が設けられたジャック本体２０３を有し、このジャック本体２０３から支持片２０７と接続端子２０６が突設されたジャック２０１と、ジャック２０１が一方の面側から他方の面側に亘って配設されるジャック取付部２１２が設けられるとともに、ジャック２０１から突設された接続端子２０６が接続される接続部２１３が一方の面に設けられた取付基板２０２とを有する。ジャック２０１は、取付基板２０２の一方の面側に支持片２０７を突設させるとともに、接続端子２０６を接続部２１３に接続させ、取付基板２０２の一方の面側から他方の面側に亘ってジャック取付部２１２に取り付けられる。（例えば、特許文献１参照）。
【０００４】
ところが、これにおいては、筐体にジャック２０１を取り付け固定するものではなく、ジャック２０１を取付基板２０２に取り付け固定するものであった。
【特許文献１】特開２０００−１１４７５０号公報
【発明の開示】
【発明が解決しようとする課題】
【０００５】
本発明は、上記従来の問題に鑑みてなされたものであって、ジャック部品等の電気部品をシャーシやケース等の筐体にビスで取り付け固定することなく、このジャック部品等の電気部品をシャーシやケース等の筐体に取り付け固定することができて、ビスを必要とせずコストダウンを図れ、ビス止めの作業を必要せずライン作業の簡略化を図ることができる電気機器内の電気部品の取付固定構造を提供することを目的としている。
【課題を解決するための手段】
【０００６】
本発明は、上記課題を解決するために提案されたものであって、請求項１に記載の発明は、電気機器の筐体内に配置された基板に実装された電気部品を前記筐体に取り付け固定するようにした電気機器内の電気部品の取付固定構造において、前記電気部品にはビス穴が形成され、前記筐体における前記電気部品のビス穴に対応する位置に前記ビス穴に挿入されて係入係止される係止部を有する突起が設けられており、前記突起の係止部を前記電気部品のビス穴に係入係止することにより、前記電気部品を前記筐体に取り付け固定するように構成したことを特徴としている。
【０００７】
請求項２に記載の発明は、請求項１に記載の発明において、前記電気部品がジャック部品である。
【０００８】
請求項３に記載の発明は、請求項１又は２に記載の発明において、前記筐体がシャーシ又はケースである。
【０００９】
請求項４に記載の発明は、請求項１乃至３に記載の発明において、前記突起の係止部の先端部に前記ビス穴の内側縁に係止する係止爪が一体に形成されている。
【００１０】
請求項５に記載の発明は、請求項４に記載の発明において、前記係止爪を先端部に有する突起の係止部が弾性を有する二股状に形成されている。
【発明の効果】
【００１１】
請求項１に記載の発明によれば、基板に実装された電気部品のビス穴に、筐体に形成された突起の係止部を係入係止することによって、電気部品を筐体に取り付け固定できるから、ビスを必要とすることがなくてコストダウンを図れる。また、ビス止めの作業を必要とすることがなくてライン作業の簡略化を図ることができる。
【００１２】
請求項２に記載の発明によれば、電気部品がジャック部品であるから、このジャック部品を筐体にビス止めすることなく取り付け固定することができる。
【００１３】
請求項３に記載の発明によれば、筐体がシャーシ又はケースであるから、ジャック部品等の電気部品をシャーシ又はケースにビス止めすることなく取り付け固定することができる。
【００１４】
請求項４に記載の発明によれば、突起の係止部の先端部にビス穴の内側縁に係止する係止爪が一体に形成されているから、この突起の係爪部をジャック部品等の電気部品に抜け止め状態で確実に係止できて、ジャック部品等の電気部品をシャーシ又はケース等の筐体に強固に取り付け固定することができる。
【００１５】
請求項５に記載の発明によれば、突起の係止部が弾性を有する二股状に形成されているから、この突起の係止部をビス穴に容易に係入することができ、係入した後は二股状の係止部が外向きに付勢されるので、係止部の係止爪がビス穴の内側縁から外れることがなくて、この突起の係止部によってジャック部品等の電気部品をシャーシ又はケース等の筐体により一層強固に取り付け固定することができる。
【発明を実施するための最良の形態】
【００１６】
以下、本発明に係る電気機器内の電気部品の取付固定構造の実施の形態について、図を参照しつつ説明する。尚、以下の実施形態では、電気部品としてジャック部品について説明するが、これに限らず、他の電気部品にも適用でき、また、筐体としてシャーシについて説明するが、これに限らず、ケース等の他の筐体についても適用できるものである。
【００１７】
図１は第１実施形態のジャック部品をシャーシに取付ける状態を示し、（ａ）はその取付前の状態を示す側面図、（ｂ）はその取付完了時の状態を示す側面図である。
【００１８】
この第１実施形態は、図１（ａ）に示すように、基板１にジャック部品２が実装され、このジャック部品２の頭部の前壁には、ビス穴２ａが形成されると共に前壁に上下２つの接続部２ｂ、２ｂが前向きに突き出した状態で設けられている。シャーシ３には、ジャック部品２のビス穴２ａに対応する箇所に係止部４ａを有する突起４が設けられ、接続部２ｂ、２ｂに対応する箇所に貫通穴３ａ、３ａが形成され、係止部４ａには、その先端の端部に係止爪４ｂが一体に設けられている。図１（ａ）に示す状態から矢印に示すようにシャーシ３を基板１側に移動し、図１（ｂ）に示すように、シャーシ３の突起４の係止部４ａをジャック部品２のビス穴２ａに押し込むとともに、貫通穴３ａ、３ａにジャック部品２の接続部２ｂ、２ｂを挿入する。
【００１９】
この第１実施形態によれば、ジャック部品２のビス穴２ａにシャーシ３の突起４の係止部４ａを押し込み、その係止爪４ｂがビス穴２ａの内側縁に係止することによって、ジャック部品２をシャーシ３に取り付け固定することができるから、ジャック部品２をシャーシ３に取り付けるときに、ビスを必要とせずコストダウンを図れ、ビス止めの作業を必要とせずライン作業の簡略化を図ることができる。また、突起４の係止部４ａの先端部にビス穴２ａの内側縁に係止する係止爪４ｂが一体に形成されているから、この突起４の係爪部４ａをジャック部品２に抜け止め状態で確実に係止できて、ジャック部品２をシャーシ３に強固に取り付け固定することができる。
【００２０】
図２は第２実施形態のジャック部品をシャーシに取付ける状態を示し、（ａ）はその取付前の状態を示す側面図、（ｂ）はその取付完了時の状態を示す側面図である。尚、上記した第１実施形態と同一部材、同一箇所には、同じ符号を付してその説明を省略する。
【００２１】
この第２実施形態は、図２（ａ）に示すように、突起４の係止部４ａが弾性を有する二股状に形成されている。従って、この第２実施形態によれば、突起４の係止部４ａが弾性を有する二股状に形成されているから、この突起４の係止部４ａをビス穴２ａに容易に係入することができ、係入した後は、図２（ｂ）に示すように、二股状の係止部４ａが外向きに付勢されるので、係止部４ａの係止爪４ｂがビス穴２ａの内側縁から外れることがなくて、この突起４の係止部４ａによってジャック部品２をシャーシ３により一層強固に取り付け固定することができる。
【図面の簡単な説明】
【００２２】
【図１】第１実施形態のジャック部品をシャーシに取付ける状態を示し、（ａ）はその取付前の状態を示す側面図、（ｂ）はその取付完了時の状態を示す側面図である。
【図２】第２実施形態のジャック部品をシャーシに取付ける状態を示し、（ａ）はその取付前の状態を示す側面図、（ｂ）はその取付完了時の状態を示す側面図である。
【図３】従来のジャック部品をシャーシ又はケース等の筐体に取付ける状態を示し、（ａ）はその取付前の状態を示す側面図、（ｂ）はその取付完了時の状態を示す側面図である。
【図４】従来のジャックの取付機構を示し、（ａ）はジャックを取付基板に取付ける前の状態を示す斜視図、（ｂ）はジャックを取付基板に取り付けた状態の斜視図である。
【図５】同ジャックの取付機構におけるジャックの取付完了時の状態を示す正面図である。
【符号の説明】
【００２３】
１      基板
２      ジャック部品
２ａ    ビス穴
２ｂ    接続部
３      シャーシ
３ａ    貫通穴
４      突起
４ａ    係止部
４ｂ    係止爪
【図１】
2008258529.tif 000003
【図２】
2008258529.tif 000004
【図３】
2008258529.tif 000005
【図４】
2008258529.tif 000006
【図５】
2008258529.tif 000007